【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
データを伝送するための方法であって、
マルチメディアデータのパケットにおけるデータグラムアドレスを使用して、パケット交換ネットワーク内の複数の論理リンクを介して上記パケットを非同期的に転送することを含み、
上記複数の論理リンクは、発信元ノードと宛先ノードとの間に伝送経路を形成し、
上記転送に先行して、上記ネットワーク内のノードは、上記複数の論理リンクに沿ったリソースの測定された使用量に基づいて上記転送を承認し、
上記データグラムアドレスの部分的なアドレスサブフィールドにおけるアドレス情報は、それ自体で、上記パケットを、上記複数の論理リンクのサブセットである複数のトップダウンの論理リンクを介するように方向付け、
上記パケットは、上記複数の論理リンクにおける複数のリンクに沿って転送されるときに不変のままである方法。
【請求項２】
上記転送はインターネットプロトコルを使用しない請求項１記載の方法。
【請求項３】
データを伝送するためのシステムであって、
複数の論理リンクを含むパケット交換ネットワークと、
上記複数の論理リンクを非同期的に通過する複数のデータパケットとを備え、上記パケットの各々は、
複数の部分的なアドレスサブフィールドを含むデータグラムアドレスを含むヘッダフィールドを備え、上記部分的なアドレスサブフィールドにおけるアドレス情報は、それ自体で、上記パケットを、上記複数の論理リンクのサブセットである複数のトップダウンの論理リンクを介するように方向付け、
上記パケットの各々は、
マルチメディアデータを含むペイロードフィールドを備え、
上記複数の論理リンクは、発信元ノードと宛先ノードとの間に伝送経路を形成し、
上記通過に先行して、上記ネットワーク内のノードは、上記複数の論理リンクに沿ったリソースの測定された使用量に基づいて上記通過を承認し、
上記パケットの各々は、上記複数の論理リンクにおける複数のリンクに沿って転送されるときに不変のままであるシステム。
【請求項４】
上記パケット交換ネットワークは、上記複数のデータパケットに上記複数の論理リンクを通過させるためにインターネットプロトコルを使用しない請求項３記載のシステム。
【請求項５】
パケットのためのデータ構造であって、
複数の部分的なアドレスサブフィールドを含むデータグラムアドレスを含むヘッダフィールドを備え、
上記部分的なアドレスサブフィールドにおけるアドレス情報は、それ自体で、上記パケットを、パケット交換ネットワーク内の複数の論理リンクのサブセットを形成する複数のトップダウンの論理リンクを介するように方向付け、
上記データ構造は、
マルチメディアデータを含むペイロードフィールドを備え、
上記複数の論理リンクは、発信元ノードと宛先ノードとの間に伝送経路を形成し、
上記パケットは上記複数の論理リンクを介して非同期的に転送され、
上記転送に先行して、上記ネットワーク内のノードは、上記複数の論理リンクに沿ったリソースの測定された使用量に基づいて上記転送を承認し、
上記パケットは、上記複数の論理リンクにおける複数のリンクに沿って転送されるときに不変のままであるデータ構造。
【請求項６】
上記パケット交換ネットワークはインターネットプロトコルを使用しない請求項５記載のデータ構造。
【請求項７】
ネットワークを介してデータを伝送するための実行可能なプログラム命令を含むコンピュータが読み取り可能な媒体であって、上記実行可能なプログラム命令は、実行されるとき、上記ネットワークに、
マルチメディアデータのパケットにおけるデータグラムアドレスを使用して、パケット交換ネットワーク内の複数の論理リンクを介して上記パケットを非同期的に転送させ、
上記複数の論理リンクは、発信元ノードと宛先ノードとの間に伝送経路を形成し、
上記転送に先行して、上記ネットワーク内のノードは、上記複数の論理リンクに沿ったリソースの測定された使用量に基づいて上記転送を承認し、
上記データグラムアドレスの部分的なアドレスサブフィールドにおけるアドレス情報は、それ自体で、上記パケットを、上記複数の論理リンクのサブセットである複数のトップダウンの論理リンクを介するように方向付け、
上記パケットは、上記複数の論理リンクにおける複数のリンクに沿って転送されるときに不変のままであるコンピュータが読み取り可能な媒体。
【請求項８】
上記転送はインターネットプロトコルを使用しない請求項７記載のコンピュータが読み取り可能な媒体。
【請求項９】
データを伝送するための方法であって、
マルチメディアデータのパケットにおけるデータグラムアドレスを使用して、パケット交換ネットワーク内の複数の論理リンクを介して上記パケットを転送することを含み、
上記データグラムアドレスの部分的なアドレスサブフィールドにおけるアドレス情報は、それ自体で、上記パケットを、上記複数の論理リンクのサブセットである複数のトップダウンの論理リンクを介するように方向付け、上記パケットは、上記複数の論理リンクにおける複数のリンクに沿って転送されるときに不変のままである方法。
【請求項１０】
上記複数の論理リンクは、発信元ノードと宛先ノードとの間に伝送経路を形成する請求項９記載の方法。
【請求項１１】
上記転送はインターネットプロトコルを使用しない請求項９記載の方法。
【請求項１２】
上記転送はワイヤスピードで発生する請求項９記載の方法。
【請求項１３】
上記転送はオフラインで計算された転送テーブルを使用する請求項９記載の方法。
【請求項１４】
上記転送は、リアルタイムでのルーティングテーブルの計算を使用しない請求項９記載の方法。
【請求項１５】
上記転送は非同期的に発生する請求項９記載の方法。
【請求項１６】
上記転送は、パケットが提供しているサービスのタイプに関する上記データグラムアドレス内の情報によって促進される請求項９記載の方法。
【請求項１７】
上記パケットは、上記ネットワーク内で転送されるマルチメディアデータの他のパケットの長さとは異なる長さを有する請求項９記載の方法。
【請求項１８】
上記パケットは、上記複数の論理リンクにおける大部分のリンクに沿って転送されるときに不変のままである請求項９記載の方法。
【請求項１９】
上記パケットは「存続時間」データを持たない請求項９記載の方法。
【請求項２０】
上記パケットは、ルーティングの計算を使用せずに上記複数の論理リンク内の大部分のリンクに沿って転送される請求項９記載の方法。
【請求項２１】
上記マルチメディアデータは、
電話のためのデータ、
メディア・オン・デマンドのためのデータ、
マルチキャストのためのデータ、
ブロードキャストのためのデータ、及び
転送のためのデータ
のうちの少なくとも１つを含む請求項９記載の方法。
【請求項２２】
上記マルチメディアデータはユーザ端末装置上に表示される請求項９記載の方法。
【請求項２３】
上記ユーザ端末装置は、メディアネットワークプロトコル及び非メディアネットワークプロトコルの両方のネットワークへのアクセスを提供するセットトップボックスである請求項２２記載の方法。
【請求項２４】
上記ユーザ端末装置は、メディアネットワークプロトコル及び非メディアネットワークの両方のパケットを処理するテレピュータである請求項２２記載の方法。
【請求項２５】
上記マルチメディアデータは、
家庭用サーバと、
大容量記憶装置と
のうちの少なくとも１つの場所に記憶される請求項９記載の方法。
【請求項２６】
上記パケット交換ネットワークは、
複数の非ピア・ツー・ピア型ユーザ端末装置、
複数の非ピア・ツー・ピア型中間スイッチ、及び
複数の非ピア・ツー・ピア型家庭用ゲートウェイ
のうちの少なくとも１つを含む請求項９記載の方法。
【請求項２７】
上記ネットワークにノードが追加される場合、上記パケット交換ネットワークは上記ノードを自動的に構成する請求項９記載の方法。
【請求項２８】
上記自動的な構成は、ノードの識別番号をチェックすることを含む請求項２７記載の方法。
【請求項２９】
上記パケット交換ネットワークは、上記転送に先行して上記転送を承認する請求項９記載の方法。
【請求項３０】
上記パケット交換ネットワーク内のノードは、上記転送に先行して上記転送を承認する請求項９記載の方法。
【請求項３１】
上記承認は、上記複数の論理リンクに沿ったリソースの測定された使用量に基づく請求項２９又は３０記載の方法。
【請求項３２】
上記承認は、セッション毎の実行を基準とする請求項３１記載の方法。
【請求項３３】
上記パケット交換ネットワークは、ネットワーク情報を上記ネットワーク内の複数のスイッチへ分配するサーバを含む請求項９記載の方法。
【請求項３４】
上記ネットワーク情報は、上記ネットワーク内の複数のスイッチの帯域幅使用量を含む請求項３３記載の方法。
【請求項３５】
上記ネットワーク情報は通報パケットを使用して分配される請求項３３記載の方法。
【請求項３６】
上記パケット交換ネットワークは、上記パケットの転送に先行して、支払者のアカウントを照合する請求項９記載の方法。
【請求項３７】
上記パケット交換ネットワークは、使用量データを測定し、収集しかつ記憶する請求項９記載の方法。
【請求項３８】
上記使用量データはアカウント処理データを含む請求項３７記載の方法。
【請求項３９】
上記パケット交換ネットワークはパケットのフローを調整する請求項９記載の方法。
【請求項４０】
上記ネットワークは、
パケットを追加することと、
パケットを遅延させることと
のうちの少なくとも一方によってパケットのフローを調整する請求項３９記載の方法。
【請求項４１】
上記パケット交換ネットワークは、専門化されたタスクをそれぞれ実行する複数のサーバシステムを含んだ、サーバ群を含む請求項９記載の方法。
【請求項４２】
上記パケット交換ネットワークは、フィルタ基準のセットに基づいて上記パケットをフィルタリングする請求項９記載の方法。
【請求項４３】
上記フィルタ基準は、セッション毎の実行を基準として確立される請求項４２記載の方法。
【請求項４４】
上記フィルタ基準は、
上記パケットにおける発信元アドレス、
上記パケットにおける宛先アドレス、
トラフィックフローのパラメータ、及び、
データコンテンツ情報
のうちの少なくとも１つを含む請求項４２記載の方法。
【請求項４５】
上記データグラムアドレスは、ノードをネットワーク接続ポイントにバインドし、上記ノードが変更されたとき上記ネットワーク接続ポイントに残る請求項９記載の方法。
【請求項４６】
上記データグラムアドレスは、ネットワーク接続ポイントに導くネットワークトポロジーに対応する部分的なアドレスサブフィールドを含む請求項９記載の方法。
【請求項４７】
ネットワーク接続ポイントに接続されたノードが変更されたとき、上記データグラムアドレスは上記ネットワーク接続ポイントに関連付けられたままである請求項９記載の方法。
【請求項４８】
データを伝送するためのシステムであって、
複数の論理リンクを含むパケット交換ネットワークと、
上記複数の論理リンクを通過する複数のデータパケットとを備え、上記パケットの各々は、
複数の部分的なアドレスサブフィールドを含むデータグラムアドレスを含むヘッダフィールドを備え、上記部分的なアドレスサブフィールドにおけるアドレス情報は、それ自体で、上記パケットを、上記複数の論理リンクのサブセットである複数のトップダウンの論理リンクを介するように方向付け、
上記パケットの各々は、
マルチメディアデータを含むペイロードフィールドを備え、
上記パケットの各々は、上記複数の論理リンクにおける複数のリンクに沿って転送されるときに不変のままであるシステム。
【請求項４９】
上記複数の論理リンクは、発信元ノードと宛先ノードとの間に伝送経路を形成する請求項４８記載のシステム。
【請求項５０】
上記通過はインターネットプロトコルを使用しない請求項４８記載のシステム。
【請求項５１】
上記通過はワイヤスピードで発生する請求項４８記載のシステム。
【請求項５２】
上記通過は、オフラインで計算された転送テーブルを使用する請求項４８記載のシステム。
【請求項５３】
上記通過は、リアルタイムでのルーティングテーブルの計算を使用しない請求項４８記載のシステム。
【請求項５４】
上記通過は非同期的に発生する請求項４８記載のシステム。
【請求項５５】
上記通過は、パケットが提供しているサービスのタイプに関する上記データグラムアドレス内の情報によって促進される請求項４８記載のシステム。
【請求項５６】
上記パケットは可変長である請求項４８記載のシステム。
【請求項５７】
上記パケットは、上記複数の論理リンクにおける大部分のリンクに沿って転送されるときに不変のままである請求項４８記載のシステム。
【請求項５８】
上記パケットは「存続時間」データを持たない請求項４８記載のシステム。
【請求項５９】
上記パケットは、ルーティング計算を使用せずに上記複数の論理リンク内の大部分のリンクに沿って転送される請求項４８記載のシステム。
【請求項６０】
上記マルチメディアデータは、
電話のためのデータ、
メディア・オン・デマンドのためのデータ、
マルチキャストのためのデータ、
ブロードキャストのためのデータ、及び、
転送のためのデータ
のうちの少なくとも１つを含む請求項４８記載のシステム。
【請求項６１】
上記マルチメディアデータはユーザ端末装置上に表示される請求項４８記載のシステム。
【請求項６２】
上記ユーザ端末装置は、メディアネットワークプロトコル及び非メディアネットワークプロトコルの両方のネットワークへのアクセスを提供するセットトップボックスである請求項６１記載のシステム。
【請求項６３】
上記ユーザ端末装置は、メディアネットワークプロトコル及び非メディアネットワークの両方のパケットを処理するテレピュータである請求項６１記載のシステム。
【請求項６４】
上記マルチメディアデータは、
家庭用サーバと、
大容量記憶装置と
のうちの少なくとも１つの場所に記憶される請求項４８記載のシステム。
【請求項６５】
上記パケット交換ネットワークは、
複数の非ピア・ツー・ピア型ユーザ端末装置、
複数の非ピア・ツー・ピア型中間スイッチ、及び
複数の非ピア・ツー・ピア型家庭用ゲートウェイ
のうちの少なくとも１つを含む請求項４８記載のシステム。
【請求項６６】
上記ネットワークにノードが追加される場合、上記パケット交換ネットワークは上記ノードを自動的に構成する請求項４８記載のシステム。
【請求項６７】
上記自動的な構成は、ノードの識別番号をチェックすることを含む請求項６６記載のシステム。
【請求項６８】
上記パケット交換ネットワークは、上記通過に先行して上記通過を承認する請求項４８記載のシステム。
【請求項６９】
上記パケット交換ネットワーク内のノードは、上記通過に先行して上記通過を承認する請求項４８記載のシステム。
【請求項７０】
上記承認は、上記複数の論理リンクに沿ったリソースの測定された使用量に基づく請求項６８又は６９記載のシステム。
【請求項７１】
上記承認は、セッション毎の実行を基準とする請求項７０記載のシステム。
【請求項７２】
上記パケット交換ネットワークは、ネットワーク情報を上記ネットワーク内の複数のスイッチへ分配するサーバを含む請求項４８記載のシステム。
【請求項７３】
上記ネットワーク情報は上記ネットワーク内の複数のスイッチの帯域幅使用量を含む請求項７２記載のシステム。
【請求項７４】
上記ネットワーク情報は通報パケットを使用して分配される請求項７２記載のシステム。
【請求項７５】
上記パケット交換ネットワークは、上記パケットの転送に先行して、支払者のアカウントを照合する請求項４８記載のシステム。
【請求項７６】
上記パケット交換ネットワークは、使用量データを測定し、収集しかつ記憶する請求項４８記載のシステム。
【請求項７７】
上記使用量データはアカウント処理データを含む請求項７６記載のシステム。
【請求項７８】
上記パケット交換ネットワークはパケットのフローを調整する請求項４８記載のシステム。
【請求項７９】
上記ネットワークは、パケットを追加することによってパケットのフローを調整する請求項７８記載のシステム。
【請求項８０】
上記ネットワークは、パケットを遅延させることによってパケットのフローを調整する請求項７８記載のシステム。
【請求項８１】
上記パケット交換ネットワークは、専門化されたタスクをそれぞれ実行する複数のサーバシステムを含んだ、サーバ群を含む請求項４８記載のシステム。
【請求項８２】
上記パケット交換ネットワークは、フィルタ基準のセットに基づいて上記パケットをフィルタリングする請求項４８記載のシステム。
【請求項８３】
上記フィルタ基準は、セッション毎の実行を基準として確立される請求項８２記載のシステム。
【請求項８４】
上記フィルタ基準は、
上記パケットにおける発信元アドレス、
上記パケットにおける宛先アドレス、
トラフィックフローのパラメータ、及び、
データコンテンツ情報
のうちの少なくとも１つを含む請求項８２記載のシステム。
【請求項８５】
上記データグラムアドレスは、ノードをネットワーク接続ポイントにバインドし、上記ノードが変更されたとき上記ネットワーク接続ポイントに残る請求項４８記載のシステム。
【請求項８６】
上記データグラムアドレスは、ネットワーク接続ポイントに導くネットワークトポロジーに対応する部分的なアドレスサブフィールドを含む請求項４８記載のシステム。
【請求項８７】
ネットワーク接続ポイントに接続されたノードが変更されたとき、上記データグラムアドレスは上記ネットワーク接続ポイントに関連付けられたままである請求項４８記載のシステム。
【請求項８８】
パケットのためのデータ構造であって、
複数の部分的なアドレスサブフィールドを含むデータグラムアドレスを含むヘッダフィールドを備え、上記部分的なアドレスサブフィールドにおけるアドレス情報は、それ自体で、上記パケットを、パケット交換ネットワーク内の複数の論理リンクのサブセットを形成する複数のトップダウンの論理リンクを介するように方向付け、
上記データ構造は、
マルチメディアデータを含むペイロードフィールドを備え、
上記パケットは、上記ネットワーク内の上記複数の論理リンクにおける複数のリンクに沿って転送されるときに不変のままであるデータ構造。
【請求項８９】
上記パケットは、上記ネットワーク内の発信元ノードと宛先ノードとの間に伝送経路を形成する上記複数の論理リンクを介して転送される請求項８８記載のデータ構造。
【請求項９０】
上記パケットは、インターネットプロトコルを使用せずに上記ネットワークを介して転送される請求項８８記載のデータ構造。
【請求項９１】
上記パケットは、ワイヤスピードで上記ネットワークを介して転送される請求項８８記載のデータ構造。
【請求項９２】
上記パケットは、オフラインで計算された転送テーブルを使用して上記ネットワークを介して転送される請求項８８記載のデータ構造。
【請求項９３】
上記パケットは、リアルタイムでのルーティングテーブルの計算を使用せずに上記ネットワークを介して転送される請求項８８記載のデータ構造。
【請求項９４】
上記パケットは非同期的に上記ネットワークを介して転送される請求項８８記載のデータ構造。
【請求項９５】
上記パケットは上記ネットワークを介して転送され、上記転送はパケットが提供しているサービスのタイプに関する上記データグラムアドレス内の情報によって促進される請求項８８記載のデータ構造。
【請求項９６】
上記パケットは、上記ネットワーク内で転送されるマルチメディアデータの他のパケットの長さとは異なる長さを有する請求項８８記載のデータ構造。
【請求項９７】
上記パケットは、上記ネットワーク内の上記複数の論理リンクにおける大部分のリンクに沿って転送されるときに不変のままである請求項８８記載のデータ構造。
【請求項９８】
上記パケットは「存続時間」データを持たない請求項８８記載のデータ構造。
【請求項９９】
上記パケットは、ルーティング計算を使用せずに上記ネットワーク内の上記複数の論理リンクにおける大部分のリンクに沿って転送される請求項８８記載のデータ構造。
【請求項１００】
上記マルチメディアデータは、
電話のためのデータ、
メディア・オン・デマンドのためのデータ、
マルチキャストのためのデータ、
ブロードキャストのためのデータ、及び、
転送のためのデータ
のうちの少なくとも１つを含む請求項８８記載のデータ構造。
【請求項１０１】
上記マルチメディアデータはユーザ端末装置上に表示される請求項８８記載のデータ構造。
【請求項１０２】
上記ユーザ端末装置は、メディアネットワークプロトコル及び非メディアネットワークプロトコルの両方のネットワークへのアクセスを提供するセットトップボックスである請求項１０１記載のデータ構造。
【請求項１０３】
上記ユーザ端末装置は、メディアネットワークプロトコル及び非メディアネットワークの両方のパケットを処理するテレピュータである請求項１０１記載のデータ構造。
【請求項１０４】
上記マルチメディアデータは、
家庭用サーバと、
大容量記憶装置と
のうちの少なくとも１つの場所に記憶される請求項８８記載のデータ構造。
【請求項１０５】
上記パケット交換ネットワークは、
複数の非ピア・ツー・ピア型ユーザ端末装置、
複数の非ピア・ツー・ピア型中間スイッチ、及び
複数の非ピア・ツー・ピア型家庭用ゲートウェイ
のうちの少なくとも１つを含む請求項８８記載のデータ構造。
【請求項１０６】
上記ネットワークにノードが追加される場合、上記パケット交換ネットワークは上記ノードを自動的に構成する請求項８８記載のデータ構造。
【請求項１０７】
上記自動的な構成は、ノードの識別番号をチェックすることを含む請求項１０６記載のデータ構造。
【請求項１０８】
上記パケット交換ネットワークは、上記パケットの転送に先行して、上記ネットワーク内の上記複数の論理リンクを介する上記パケットの転送を承認する請求項８８記載のデータ構造。
【請求項１０９】
上記承認は、上記複数の論理リンクに沿ったリソースの測定された使用量に基づく請求項１０８記載のデータ構造。
【請求項１１０】
上記承認は、セッション毎の実行を基準とする請求項１０９記載のデータ構造。
【請求項１１１】
上記パケット交換ネットワーク内のノードは、上記転送に先行して、上記ネットワーク内の上記複数の論理リンクを介する上記パケットの転送を承認する請求項８８記載のデータ構造。
【請求項１１２】
上記承認は、上記複数の論理リンクに沿ったリソースの測定された使用量に基づく請求項１１１記載のデータ構造。
【請求項１１３】
上記承認は、セッション毎の実行を基準とする請求項１１２記載のデータ構造。
【請求項１１４】
上記パケット交換ネットワークは、ネットワーク情報を上記ネットワーク内の複数のスイッチへ分配するサーバを含む請求項８８記載のデータ構造。
【請求項１１５】
上記ネットワーク情報は上記ネットワーク内の複数のスイッチの帯域幅使用量を含む請求項１１４記載のデータ構造。
【請求項１１６】
上記ネットワーク情報は通報パケットを使用して分配される請求項１１４記載のデータ構造。
【請求項１１７】
上記パケット交換ネットワークは、上記パケットの転送に先行して、支払者のアカウントを照合する請求項８８記載のデータ構造。
【請求項１１８】
上記パケット交換ネットワークは、使用量データを測定し、収集しかつ記憶する請求項８８記載のデータ構造。
【請求項１１９】
上記使用量データはアカウント処理データを含む請求項１１８記載のデータ構造。
【請求項１２０】
上記パケット交換ネットワークはパケットのフローを調整する請求項８８記載のデータ構造。
【請求項１２１】
上記ネットワークは、
パケットを追加することと、
パケットを遅延させることと
のうちの少なくとも一方によってパケットのフローを調整する請求項１２０記載のデータ構造。
【請求項１２２】
上記パケット交換ネットワークは、専門化されたタスクをそれぞれ実行する複数のサーバシステムを含んだ、サーバ群を含む請求項８８記載のデータ構造。
【請求項１２３】
上記パケット交換ネットワークは、フィルタ基準のセットに基づいて上記パケットをフィルタリングする請求項８８記載のデータ構造。
【請求項１２４】
上記フィルタ基準は、セッション毎の実行を基準として確立される請求項１２３記載のデータ構造。
【請求項１２５】
上記フィルタ基準は
上記パケットにおける発信元アドレス、
上記パケットにおける宛先アドレス、
トラフィックフローのパラメータ、及び、
データコンテンツ情報
のうちの少なくとも１つを含む請求項１２３記載のデータ構造。
【請求項１２６】
上記データグラムアドレスは、ノードをネットワーク接続ポイントにバインドし、上記ノードが変更されたとき上記ネットワーク接続ポイントに残る請求項８８記載のデータ構造。
【請求項１２７】
上記データグラムアドレスは、ネットワーク接続ポイントに導くネットワークトポロジーに対応する部分的なアドレスサブフィールドを含む請求項８８記載のデータ構造。
【請求項１２８】
ネットワーク接続ポイントに接続されたノードが変更されたとき、上記データグラムアドレスは上記ネットワーク接続ポイントに関連付けられたままである請求項８８記載のデータ構造。
【請求項１２９】
ネットワークを介してデータを伝送するための実行可能なプログラム命令を含むコンピュータが読み取り可能な媒体であって、上記実行可能なプログラム命令は、実行されるとき、上記ネットワークに、
マルチメディアデータのパケットにおけるデータグラムアドレスを使用して、パケット交換ネットワーク内の複数の論理リンクを介して上記パケットを転送させ、
上記データグラムアドレスの部分的なアドレスサブフィールドにおけるアドレス情報は、それ自体で、上記パケットを、上記複数の論理リンクのサブセットである複数のトップダウンの論理リンクを介するように方向付け、上記パケットは、上記複数の論理リンクにおける複数のリンクに沿って転送されるときに不変のままであるコンピュータが読み取り可能な媒体。
【請求項１３０】
上記複数の論理リンクは、発信元ノードと宛先ノードとの間に伝送経路を形成する請求項１２９記載のコンピュータが読み取り可能な媒体。
【請求項１３１】
上記転送はインターネットプロトコルを使用しない請求項１２９記載のコンピュータが読み取り可能な媒体。
【請求項１３２】
上記転送はワイヤスピードで発生する請求項１２９記載のコンピュータが読み取り可能な媒体。
【請求項１３３】
上記転送は、オフラインで計算された転送テーブルを使用する請求項１２９記載のコンピュータが読み取り可能な媒体。
【請求項１３４】
上記転送は、リアルタイムでのルーティングテーブルの計算を使用しない請求項１２９記載のコンピュータが読み取り可能な媒体。
【請求項１３５】
上記転送は非同期的に発生する請求項１２９記載のコンピュータが読み取り可能な媒体。
【請求項１３６】
上記転送は、パケットが提供しているサービスのタイプに関する上記データグラムアドレス内の情報によって促進される請求項１２９記載のコンピュータが読み取り可能な媒体。
【請求項１３７】
上記パケットは、上記ネットワーク内で転送されるマルチメディアデータの他のパケットの長さとは異なる長さを有する請求項１２９記載のコンピュータが読み取り可能な媒体。
【請求項１３８】
上記パケットは、上記複数の論理リンクにおける大部分のリンクに沿って転送されるときに不変のままである請求項１２９記載のコンピュータが読み取り可能な媒体。
【請求項１３９】
上記パケットは「存続時間」データを持たない請求項１２９記載のコンピュータが読み取り可能な媒体。
【請求項１４０】
上記パケットは、ルーティング計算を使用せずに上記複数の論理リンク内の大部分のリンクに沿って転送される請求項１２９記載のコンピュータが読み取り可能な媒体。
【請求項１４１】
上記マルチメディアデータは、
電話のためのデータ、
メディア・オン・デマンドのためのデータ、
マルチキャストのためのデータ、
ブロードキャストのためのデータ、及び
転送のためのデータ
のうちの少なくとも１つを含む請求項１２９記載のコンピュータが読み取り可能な媒体。
【請求項１４２】
上記マルチメディアデータはユーザ端末装置上に表示される請求項１２９記載のコンピュータが読み取り可能な媒体。
【請求項１４３】
上記ユーザ端末装置は、メディアネットワークプロトコル及び非メディアネットワークプロトコルの両方のネットワークへのアクセスを提供するセットトップボックスである請求項１４２記載のコンピュータが読み取り可能な媒体。
【請求項１４４】
上記ユーザ端末装置は、メディアネットワークプロトコル及び非メディアネットワークの両方のパケットを処理するテレピュータである請求項１４２記載のコンピュータが読み取り可能な媒体。
【請求項１４５】
上記マルチメディアデータは、
家庭用サーバと、
大容量記憶装置と
のうちの少なくとも１つの場所に記憶される請求項１２９記載のコンピュータが読み取り可能な媒体。
【請求項１４６】
上記パケット交換ネットワークは、
複数の非ピア・ツー・ピア型ユーザ端末装置、
複数の非ピア・ツー・ピア型中間スイッチ、及び
複数の非ピア・ツー・ピア型家庭用ゲートウェイ
のうちの少なくとも１つを含む請求項１２９記載のコンピュータが読み取り可能な媒体。
【請求項１４７】
上記ネットワークにノードが追加される場合、上記パケット交換ネットワークは上記ノードを自動的に構成する請求項１２９記載のコンピュータが読み取り可能な媒体。
【請求項１４８】
上記自動的な構成は、ノードの識別番号をチェックすることを含む請求項１４７記載のコンピュータが読み取り可能な媒体。
【請求項１４９】
上記パケット交換ネットワークは、上記転送に先行して上記転送を承認する請求項１２９記載のコンピュータが読み取り可能な媒体。
【請求項１５０】
上記パケット交換ネットワーク内のノードは、上記転送に先行して上記転送を承認する請求項１２９記載のコンピュータが読み取り可能な媒体。
【請求項１５１】
上記承認は、上記複数の論理リンクに沿ったリソースの測定された使用量に基づく請求項１４９又は１５０記載のコンピュータが読み取り可能な媒体。
【請求項１５２】
上記承認は、セッション毎の実行を基準とする請求項１５１記載のコンピュータが読み取り可能な媒体。
【請求項１５３】
上記パケット交換ネットワークは、ネットワーク情報を上記ネットワーク内の複数のスイッチへ分配するサーバを含む請求項１２９記載のコンピュータが読み取り可能な媒体。
【請求項１５４】
上記ネットワーク情報は上記ネットワーク内の複数のスイッチの帯域幅使用量を含む請求項１５３記載のコンピュータが読み取り可能な媒体。
【請求項１５５】
上記ネットワーク情報は通報パケットを使用して分配される請求項１５４記載のコンピュータが読み取り可能な媒体。
【請求項１５６】
上記パケット交換ネットワークは、上記パケットの転送に先行して、支払者のアカウントを照合する請求項１２９記載のコンピュータが読み取り可能な媒体。
【請求項１５７】
上記パケット交換ネットワークは、使用量データを測定し、収集しかつ記憶する請求項１２９記載のコンピュータが読み取り可能な媒体。
【請求項１５８】
上記使用量データはアカウント処理データを含む請求項１５７記載のコンピュータが読み取り可能な媒体。
【請求項１５９】
上記パケット交換ネットワークはパケットのフローを調整する請求項１２９記載のコンピュータが読み取り可能な媒体。
【請求項１６０】
上記ネットワークは、
パケットを追加することと、
パケットを遅延させることと
のうちの少なくとも一方によってパケットのフローを調整する請求項１５９記載のコンピュータが読み取り可能な媒体。
【請求項１６１】
上記パケット交換ネットワークは、専門化されたタスクをそれぞれ実行する複数のサーバシステムを含んだ、サーバ群を含む請求項１２９記載のコンピュータが読み取り可能な媒体。
【請求項１６２】
上記パケット交換ネットワークは、フィルタ基準のセットに基づいて上記パケットをフィルタリングする請求項１２９記載のコンピュータが読み取り可能な媒体。
【請求項１６３】
上記フィルタ基準は、セッション毎の実行を基準として確立される請求項１６２記載のコンピュータが読み取り可能な媒体。
【請求項１６４】
上記フィルタ基準は、
上記パケットにおける発信元アドレス、
上記パケットにおける宛先アドレス、
トラフィックフローのパラメータ、及び、
データコンテンツ情報
のうちの少なくとも１つを含む請求項１６２記載のコンピュータが読み取り可能な媒体。
【請求項１６５】
上記データグラムアドレスは、ノードをネットワーク接続ポイントにバインドし、上記ノードが変更されたとき上記ネットワーク接続ポイントに残る請求項１２９記載のコンピュータが読み取り可能な媒体。
【請求項１６６】
上記データグラムアドレスは、ネットワーク接続ポイントに導くネットワークトポロジーに対応する部分的なアドレスサブフィールドを含む請求項１２９記載のコンピュータが読み取り可能な媒体。
【請求項１６７】
ネットワーク接続ポイントに接続されたノードが変更されたとき、上記データグラムアドレスは上記ネットワーク接続ポイントに関連付けられたままである請求項１２９記載のコンピュータが読み取り可能な媒体。
【請求項１６８】
データを伝送するためのシステムであって、
複数の論理リンクを含むパケット交換ネットワークと、
上記複数の論理リンクを通過する複数の制御パケットとを備え、上記制御パケットの各々は、
複数の部分的なアドレスサブフィールドを含む第１のデータグラムアドレスを備え、上記部分的なアドレスサブフィールドにおけるアドレス情報は、それ自体で、上記制御パケットを、上記複数の論理リンクのサブセットである複数のトップダウンの論理リンクを介するように方向付け、
上記システムは、
上記複数の論理リンクを通過する複数のデータパケットを備え、上記データパケットの各々は、
第２のカラーサブフィールドを含む第２のデータグラムアドレスを備え、上記第２のカラーサブフィールド内のカラー情報は、上記システムが上記データパケットを転送するためのパケット配信機構を決定するシステム。
【請求項１６９】
上記パケット交換ネットワークはさらに、
ネットワークのバックボーンと、
上記ネットワークのバックボーンに接続されたサービスゲートウェイと、
上記サービスゲートウェイに接続された、階層化されたスイッチング構成要素と、
上記階層化されたスイッチング構成要素に接続された家庭用ゲートウェイと、
上記家庭用ゲートウェイに接続されたユーザ端末装置とを備える請求項１６８記載のシステム。
【請求項１７０】
上記サービスゲートウェイは上記パケット交換ネットワーク内のサブネットワークのリソースを管理する請求項１６９記載のシステム。
【請求項１７１】
上記サービスゲートウェイはさらに、
上記ネットワークのバックボーンに接続されたエッジ部のスイッチと、
上記エッジ部のスイッチに接続されたサーバ群とを備える請求項１７０記載のシステム。
【請求項１７２】
上記サービスゲートウェイはさらに、上記エッジ部のスイッチに結合されかつ上記パケット交換ネットワーク以外のネットワークに接続されたゲートウェイを備える請求項１７１記載のシステム。
【請求項１７３】
上記サービスゲートウェイはさらに、上記エッジ部のスイッチに接続されたメディア記憶装置を備える請求項１７１記載のシステム。
【請求項１７４】
上記サーバ群はさらに、互いに独立してタスクを処理する能力をそれぞれ有する、複数のサーバシステムを備える請求項１７１記載のシステム。
【請求項１７５】
上記サーバシステムの各々は専用タスクを実行する請求項１７４記載のシステム。
【請求項１７６】
上記サーバ群の能力は、
上記サブネットワークのネットワークトポロジーを確立することと、
上記サブネットワークのポートへ、利用可能なネットワークアドレスを割り当てることと、
上記ポートへ接続された装置を、上記ポートへ割り当てられた上記利用可能なネットワークアドレスに対してバインドすることと、
上記装置と通信することと、
上記サブネットワーク上のデータトラフィックを操作することとを含む請求項１７１記載のシステム。
【請求項１７７】
上記サーバ群は、上記ポートへ割り当てられた上記利用可能なネットワークアドレスを上記装置にバインドする前に、上記装置の識別情報を認証する請求項１７６記載のシステム。
【請求項１７８】
上記サーバ群は、
上記装置からリソース情報を収集し、
上記サブネットワークのリソース情報を上記装置へ分配する請求項１７６記載のシステム。
【請求項１７９】
上記サーバ群は、上記サーバ群が要求されたサービスを承認する場合、要求している装置と宛先装置との間に上記要求されたサービスのためのリソースをセットアップする請求項１７６記載のシステム。
【請求項１８０】
上記サーバ群は、
上記要求している装置及び上記宛先装置に、上記要求されたサービスを実行させるための資格が存在し、かつ、
上記要求している装置と上記宛先装置との間の上記リソースが上記要求されたサービスを実行するために利用可能であれば、上記要求されたサービスを承認する請求項１７９記載のシステム。
【請求項１８１】
上記サーバ群は、支払者のアカウントを調べて上記資格の有無を決定する請求項１８０記載のシステム。
【請求項１８２】
上記要求されたサービスが多地点通信セッションのためものであれば、上記サーバ群は利用可能なセッション番号を予約する請求項１８０記載のシステム。
【請求項１８３】
上記サーバ群は、アップストリーム方向のパケットに対するエントリ基準によって上記サブネットワークを構成する請求項１８０記載のシステム。
【請求項１８４】
上記エッジ部のスイッチはさらに、
パケット分配器と、
上記パケット分配器に接続されたスイッチングコアとを備え、上記スイッチングコアはさらに、
上記パケット分配器に接続された部分的アドレスルーティングエンジンと、
上記部分的アドレスルーティングエンジンに接続されたカラーフィルタと、
上記カラーフィルタ、上記部分的アドレスルーティングエンジン及び上記パケット分配器に接続された遅延素子とを含む請求項１７１記載のシステム。
【請求項１８５】
上記遅延素子は、上記エッジ部のスイッチが受信するパケットを一定の時間期間にわたって記憶し、その時間期間の間に、上記カラーフィルタは、データグラムアドレスのカラーサブフィールドにおけるカラー情報に従って上記パケット内の上記データグラムアドレスを処理するように上記部分的アドレスルーティングエンジンに指示し、
上記部分的アドレスルーティングエンジンは、上記パケット分配器に上記パケットの転送を行わせる請求項１８４記載のシステム。
【請求項１８６】
上記部分的アドレスルーティングエンジンは、
上記カラー情報が多地点通信セッションを示すとき、第１のルックアップテーブルにおける情報に基づいて、上記パケット分配器が上記パケットを転送するように複数の第１の制御信号をアサートし、
上記カラー情報がユニキャスト通信セッションを示すとき、上記部分的なアドレスサブフィールドにおける情報に基づいて、上記パケット分配器が上記パケットを転送するように複数の第２の制御信号をアサートする請求項１８５記載のシステム。
【請求項１８７】
上記部分的アドレスルーティングエンジンは、予約されたセッション番号とマッピングされたセッション番号とを第２のルックアップテーブルに保持する請求項１８６記載のシステム。
【請求項１８８】
上記カラーフィルタは、上記制御パケットにより、上記パケット交換ネットワーク上で要求している装置に直接に応答する能力を有する請求項１８４記載のシステム。
【請求項１８９】
上記パケット分配器はさらに、
少なくとも１つの分配器と、
上記分配器に接続されたバッファバンクと、
上記バッファバンク及び上記階層化されたスイッチング構成要素に接続された少なくとも１つのコントローラとを備える請求項１８６記載のシステム。
【請求項１９０】
上記分配器は、上記複数の第１の制御信号及び上記複数の第２の制御信号に応答して、上記パケットを上記バッファバンクの一部へ方向付け、
上記コントローラは、上記バッファバンクの上記一部から上記階層化されたスイッチング構成要素への上記パケットのフローを調整する請求項１８９記載のシステム。
【請求項１９１】
上記階層化されたスイッチング構成要素はさらに、
スイッチングコアと、
上記スイッチングコアに接続されたアップリンクのパケットフィルタとを備える請求項１６９記載のシステム。
【請求項１９２】
上記アップリンクのパケットフィルタは、フィルタ基準のセットに基づいて、アップストリーム方向のパケットをフィルタリングする請求項１９１記載のシステム。
【請求項１９３】
上記アップリンクのパケットフィルタは、パケットを追加することにより上記アップストリーム方向のパケットのフローを調整する請求項１９２記載のシステム。
【請求項１９４】
上記スイッチングコアはさらに、
パケット分配器と、
上記パケット分配器に接続された部分的アドレスルーティングエンジンと、
上記部分的アドレスルーティングエンジン及び上記アップリンクのパケットフィルタに接続されたカラーフィルタと、
上記カラーフィルタ及び上記パケット分配器に接続された遅延素子とを備える請求項１９１記載のシステム。
【請求項１９５】
上記遅延素子は、上記階層化されたスイッチング構成要素が受信するパケットを一定の時間期間にわたって記憶し、その時間期間の間に、上記カラーフィルタは、データグラムアドレスのカラーサブフィールドにおけるカラー情報に従って上記パケット内の上記データグラムアドレスを処理するように上記部分的アドレスルーティングエンジンに指示し、
上記部分的アドレスルーティングエンジンは、上記パケット分配器に上記パケットの転送を行わせる請求項１９４記載のシステム。
【請求項１９６】
上記部分的アドレスルーティングエンジンは、
上記カラー情報が多地点通信セッションを示すとき、第１のルックアップテーブルにおける情報に基づいて、上記パケット分配器が上記パケットを転送するように複数の第１の制御信号をアサートし、
上記カラー情報がユニキャスト通信セッションを示すとき、上記部分的なアドレスサブフィールドにおける情報に基づいて、上記パケット分配器が上記パケットを転送するように複数の第２の制御信号をアサートする請求項１９５記載のシステム。
【請求項１９７】
上記部分的アドレスルーティングエンジンは、予約されたセッション番号とマッピングされたセッション番号とを第２のルックアップテーブルに保持する請求項１９６記載のシステム。
【請求項１９８】
上記パケット分配器はさらに、
少なくとも１つの分配器と、
上記分配器に接続されたバッファバンクと、
上記バッファバンク及び上記家庭用ゲートウェイに接続された少なくとも１つのコントローラとを備える請求項１９６記載のシステム。
【請求項１９９】
上記分配器は、上記複数の第１の制御信号及び上記複数の第２の制御信号に応答して、上記パケットを上記バッファバンクの一部へ方向付け、
上記コントローラは、上記バッファバンクの上記一部から上記家庭用ゲートウェイへの上記パケットのフローを調整する請求項１９８記載のシステム。
【請求項２００】
上記家庭用ゲートウェイはさらに、
マスターユーザスイッチと、
上記マスターユーザスイッチに接続された複数のスレーブユーザスイッチとを備える請求項１６９記載のシステム。
【請求項２０１】
上記サーバ群は、上記マスターユーザスイッチが上記階層化されたスイッチング構成要素に物理的に接続された後に、上記マスターユーザスイッチへネットワークアドレスを割り当てる請求項２００記載のシステム。
【請求項２０２】
上記マスターユーザスイッチは、上記家庭用ゲートウェイがサポートする最大の帯域幅を確立する請求項２００記載のシステム。
【請求項２０３】
上記マスターユーザスイッチは、上記家庭用ゲートウェイに接続された上記ユーザ端末装置へ帯域幅を割り当てる請求項２００記載のシステム。
【請求項２０４】
上記マスターユーザスイッチは、専用のアップストリーム方向のポートと専用のダウンストリーム方向のポートとを有する請求項２００記載のシステム。
【請求項２０５】
上記複数のスレーブユーザスイッチの各々は、専用のアップストリーム方向のポートと専用のダウンストリーム方向のポートとを有する請求項２０４記載のシステム。
【請求項２０６】
上記ダウンストリーム方向のポート上のパケットが、上記複数のスレーブユーザスイッチのうちの１つによって直接管理されるユーザ端末装置を宛先とされる場合には、上記マスターユーザスイッチは、上記パケットを上記複数のスレーブユーザスイッチへブロードキャストする請求項２０５記載のシステム。
【請求項２０７】
上記アップストリーム方向のポート上のパケットが上記階層化されたスイッチング構成要素を宛先とされる場合には、上記複数のスレーブユーザスイッチの１つは、上記パケットを上記マスターユーザスイッチへ転送する請求項２０５記載のシステム。
【請求項２０８】
上記アップストリーム方向のポート上の上記パケットが、上記複数のスレーブユーザスイッチの残りの１つによって直接に管理されるユーザ端末装置を宛先とされる場合には、上記複数のスレーブユーザスイッチの１つは、上記パケットを上記複数のスレーブユーザスイッチの残りへブロードキャストする請求項２０７記載のシステム。
【請求項２０９】
通信セッションを処理するための方法であって、
制御パケットにおける第１のデータグラムアドレスを使用して、上記制御パケットを、コネクション指向型のパケット交換ネットワーク内の複数の論理リンクを介して転送することを含み、
上記第１のデータグラムアドレスの第１の部分的なアドレスサブフィールドにおけるアドレス情報は、それ自体で、上記制御パケットを、上記複数の論理リンクのサブセットである複数のトップダウンの論理リンクを介するように方向付け、
上記方法は、
データパケットにおける第２のデータグラムアドレスを使用して、上記データパケットを、上記ネットワーク内の上記複数の論理リンクを介して転送することを含み、
上記第２のデータグラムアドレスの第２のカラーサブフィールド内のカラー情報は、上記データパケットの上記転送を実行するためのパケット配信機構を決定する方法。
【請求項２１０】
上記第１のデータグラムアドレスの第１のカラーサブフィールドにおけるカラー情報が多地点通信モードを示すとき、上記制御パケットにおけるセッション番号及び上記第１の部分的なアドレスサブフィールド内の上記アドレス情報に基づいて、上記複数の論理リンクに沿ったリソースを変更することをさらに含む請求項２０９記載の方法。
【請求項２１１】
上記リソースはさらに、上記複数の論理リンクに沿った装置内のルックアップテーブルを備える請求項２１０記載の方法。
【請求項２１２】
上記通信セッションの継続時間にわたって上記セッション番号を予約することと、
上記セッション番号が利用不可能であれば、マッピングされたセッション番号を予約することとをさらに含む請求項２１０記載の方法。
【請求項２１３】
上記制御パケットは上記セッション番号と上記マッピングされたセッション番号とを含む請求項２１２記載の方法。
【請求項２１４】
上記パケット配信機構はさらに、
上記第２のカラーサブフィールドにおける上記カラー情報がユニキャストモードを示すとき、上記第２のデータグラムアドレスの第２の部分的なアドレスサブフィールドにおけるアドレス情報を使用して、それ自体で、上記データパケットを、複数のトップダウンの論理リンクを介するように方向付けることを含む請求項２０９記載の方法。
【請求項２１５】
上記制御パケットにおけるエントリ基準情報に基づいて、アップストリーム方向のパケットを選択的にブロックすることをさらに含む請求項２０９記載の方法。
【請求項２１６】
パケットを追加することにより上記アップストリーム方向のパケットのフローを調整することをさらに含む請求項２１５記載の方法。
【請求項２１７】
第１の時間間隔で、上記制御パケットを用いて、上記複数の論理リンクに沿ったリソースからの上記通信セッションの接続に関連した情報を要求することと、
第２の時間間隔で、上記制御パケットを用いて、上記リソースへ上記接続に関連した情報を分配することとをさらに含む請求項２０９記載の方法。
【請求項２１８】
上記パケット配信機構はさらに、
上記第２のカラーサブフィールドにおける上記カラー情報が多地点通信モードを示すとき、上記リソースが保持する情報に従って、上記複数の論理リンクを介するように上記データパケットを方向付けることを含む請求項２１７記載の方法。
【請求項２１９】
上記リソースは上記情報をルックアップテーブルに保持する請求項２１８記載の方法。
【請求項２２０】
通信セッションをセットアップするための方法であって、
単一の制御パケットにおけるデータグラムアドレスを使用して、上記単一の制御パケットを、コネクション指向型のパケット交換ネットワーク内の複数の論理リンクを介して転送することを含み、
上記データグラムアドレスの部分的なアドレスサブフィールドにおけるアドレス情報は、それ自体で、上記制御パケットを、上記複数の論理リンクのサブセットである複数のトップダウンの論理リンクを介するように方向付け、
上記方法は、
上記複数の論理リンクに沿ったリソースを変更することを含む方法。
【請求項２２１】
通信セッションを終了させるための方法であって、
単一の制御パケットにおけるデータグラムアドレスを使用して、上記単一の制御パケットを、コネクション指向型のパケット交換ネットワーク内の複数の論理リンクを介して転送することを含み、
上記データグラムアドレスの部分的なアドレスサブフィールドにおけるアドレス情報は、それ自体で、上記制御パケットを、上記複数の論理リンクのサブセットである複数のトップダウンの論理リンクを介するように方向付け、
上記方法は、
上記複数のトップダウンの論理リンクに沿ったリソースを変更することを含む方法。
【請求項２２２】
データを伝送するための方法であって、
マルチメディアデータのパケットのヘッダフィールドにおけるデータグラムアドレスを使用して、パケット交換ネットワーク内の複数の論理リンクを介して上記パケットを転送することを含み、
上記データグラムアドレスは、データリンク層のアドレス及びネットワーク層のアドレスの両方として動作し、
上記データグラムアドレスは、上記複数の論理リンクに沿ったリソースを呼び出して上記転送を実行させることができる命令を含む方法。
【請求項２２３】
上記リソースは、上記複数の論理リンクに沿った装置をさらに備える請求項２２２記載の方法。
【請求項２２４】
上記データグラムアドレスは、
上記装置を呼び出して、上記データグラムアドレスの部分的なアドレスサブフィールドにおけるアドレス情報により、上記複数の論理リンクを介するように上記パケットを方向付けるユニキャストモード命令を含む請求項２２３記載の方法。
【請求項２２５】
上記データグラムアドレスは、
上記装置を呼び出して、上記装置が保持する情報により、上記複数の論理リンクを介するように上記パケットを方向付ける多地点通信モード命令を含む請求項２２３記載の方法。
【請求項２２６】
上記装置が保持する上記情報は、セッション番号と、上記データグラムアドレスの部分的なアドレスサブフィールドにおけるアドレス情報とを含む請求項２２５記載の方法。
【請求項２２７】
上記通信セッションの継続時間にわたって上記セッション番号を予約することと、
上記セッション番号が利用不可能であれば、マッピングされたセッション番号を予約することとをさらに含む請求項２２６記載の方法。
【請求項２２８】
データを伝送するためのシステムであって、
複数の論理リンクを含むパケット交換ネットワークと、
上記複数の論理リンクを通過する複数のパケットとを備え、上記パケットの各々は、
上記パケットのヘッダフィールドにおけるデータグラムアドレスを備え、
上記データグラムアドレスは、データリンク層のアドレス及びネットワーク層のアドレスの両方として動作し、
上記データグラムアドレスは、上記複数の論理リンクに沿ったリソースを呼び出して上記パケットを転送させることができる命令を含むシステム。
【請求項２２９】
通信セッションを処理するための実行可能なプログラム命令を含むコンピュータが読み取り可能な媒体であって、上記実行可能なプログラム命令は、実行されるとき、
コネクション指向型のパケット交換ネットワークに、
制御パケットにおける第１のデータグラムアドレスを使用して、上記制御パケットを、上記ネットワークの複数の論理リンクを介して転送させ、
上記第１のデータグラムアドレスの第１の部分的なアドレスサブフィールドにおけるアドレス情報は、それ自体で、上記制御パケットを、上記複数の論理リンクのサブセットである複数のトップダウンの論理リンクを介するように方向付け、
上記実行可能なプログラム命令は、実行されるとき、コネクション指向型のパケット交換ネットワークに、
データパケットにおける第２のデータグラムアドレスを使用して、上記データパケットを、上記ネットワーク内の上記複数の論理リンクを介して転送させ、
上記第２のデータグラムアドレスの第２のカラーサブフィールド内のカラー情報は、上記データパケットの上記転送を実行するためのパケット配信機構を決定するコンピュータが読み取り可能な媒体。
【請求項２３０】
上記実行可能なプログラム命令が実行されるとき、上記第１のデータグラムアドレスの第１のカラーサブフィールドにおけるカラー情報が多地点通信モードを示す場合には、上記制御パケットにおけるセッション番号及び上記第１の部分的なアドレスサブフィールドにおける上記アドレス情報に基づいて、上記複数の論理リンクに沿ったリソースを変更
する処理を、上記ネットワークに実行させる請求項２２９記載のコンピュータが読み取り可能な媒体。
【請求項２３１】
上記リソースはさらに、上記複数の論理リンクに沿った装置内にルックアップテーブルを備える請求項２３０記載のコンピュータが読み取り可能な媒体。
【請求項２３２】
上記実行可能なプログラム命令が実行されるとき、上記ネットワークに、
上記通信セッションの継続時間にわたって上記セッション番号を予約させ、かつ、
上記セッション番号が利用不可能であれば、マッピングされたセッション番号を予約させる請求項２３０記載のコンピュータが読み取り可能な媒体。
【請求項２３３】
上記制御パケットは上記セッション番号と上記マッピングされたセッション番号とを含む請求項２３２記載のコンピュータが読み取り可能な媒体。
【請求項２３４】
上記パケット配信機構はさらに、
上記第２のカラーサブフィールドにおける上記カラー情報がユニキャストモードを示すとき、上記第２のデータグラムアドレスの第２の部分的なアドレスサブフィールドにおけるアドレス情報を使用して、それ自体で、上記データパケットを、上記複数のトップダウンの論理リンクを介するように方向付けることを含む請求項２２９記載のコンピュータが読み取り可能な媒体。
【請求項２３５】
上記実行可能なプログラム命令が実行されるとき、上記ネットワークに、上記制御パケットにおけるエントリ基準情報に基づいてアップストリーム方向のパケットを選択的にブロックさせる請求項２２９記載のコンピュータが読み取り可能な媒体。
【請求項２３６】
上記実行可能なプログラム命令が実行されるとき、上記ネットワークに、パケットを追加することにより上記アップストリーム方向のパケットのフローを調整させる請求項２３５記載のコンピュータが読み取り可能な媒体。
【請求項２３７】
上記実行可能なプログラム命令が実行されるとき、上記ネットワークに、
第１の時間間隔で、上記制御パケットを用いて、上記複数の論理リンクに沿ったリソースからの上記通信セッションの接続に関連した情報を要求させ、かつ、
第２の時間間隔で、上記制御パケットを用いて、上記リソースへ上記接続に関連した情報を分配させる請求項２２９記載のコンピュータが読み取り可能な媒体。
【請求項２３８】
上記パケット配信機構はさらに、
上記第２のカラーサブフィールドにおける上記カラー情報が多地点通信モードを示すとき、上記リソースが保持する情報に従って、上記複数の論理リンクを介するように上記データパケットを方向付けることを含む請求項２３７記載のコンピュータが読み取り可能な媒体。
【請求項２３９】
上記リソースは上記情報をルックアップテーブルに保持する請求項２３８記載のコンピュータが読み取り可能な媒体。
【請求項２４０】
上記パケット交換ネットワークの構成要素は、上記第１のデータグラムアドレスの第１のカラーサブフィールドにおけるカラー情報が多地点通信モードを示すとき、上記制御パケットにおけるセッション番号及び上記第１の部分的なアドレスサブフィールドにおける上記アドレス情報に従って、上記構成要素が管理するリソースを変更する請求項１６８記載のシステム。
【請求項２４１】
上記パケット交換ネットワークはさらに、
サービスゲートウェイを備え、上記サービスゲートウェイは、
上記通信セッションの継続時間にわたって上記セッション番号を予約し、かつ、
上記セッション番号が利用不可能であれば、マッピングされたセッション番号を予約する請求項２４０記載のシステム。
【請求項２４２】
上記制御パケットは上記セッション番号と上記マッピングされたセッション番号とを含む請求項２４１記載のシステム。
【請求項２４３】
上記パケット配信機構はさらに、
上記第２のカラーサブフィールドにおける上記カラー情報がユニキャストモードを示すとき、上記第２のデータグラムアドレスの第２の部分的なアドレスサブフィールドにおけるアドレス情報を使用して、それ自体で、上記データパケットを、上記複数のトップダウンの論理リンクを介するように方向付けることを含む請求項１６８記載のシステム。
【請求項２４４】
上記パケット交換ネットワークはさらに、
上記制御パケットにおけるエントリ基準情報に基づいて、アップストリーム方向のパケットを選択的にブロックする、階層化されたスイッチング構成要素を備える請求項１６８記載のシステム。
【請求項２４５】
上記階層化されたスイッチング構成要素は、パケットを追加することにより上記アップストリーム方向のパケットのフローを調整する請求項２４４記載のシステム。
【請求項２４６】
上記パケット交換ネットワークはさらに、
サービスゲートウェイを備え、上記サービスゲートウェイは、
第１の時間間隔で、上記制御パケットを用いて、上記複数の論理リンクに沿ったリソースからの上記通信セッションの接続に関連した情報を要求し、かつ、
第２の時間間隔で、上記制御パケットを用いて、上記リソースへ上記接続に関連した情報を分配する請求項１６８記載のシステム。
【請求項２４７】
上記パケット配信機構はさらに、
上記第２のカラーサブフィールドにおける上記カラー情報が多地点通信モードを示すとき、上記リソースが保持する情報に従って、上記複数の論理リンクを介するように上記データパケットを方向付けることを含む請求項２４６記載のシステム。
【請求項２４８】
上記リソースは上記情報をルックアップテーブルに保持する請求項２４７記載のシステム。
【請求項２４９】
上記パケット交換ネットワークはさらに、上記複数の論理リンクに沿った装置を含む請求項２２８記載のシステム。
【請求項２５０】
上記データグラムアドレスは、
上記装置を呼び出して、上記データグラムアドレスの部分的なアドレスサブフィールドにおけるアドレス情報により、上記複数の論理リンクを介するように上記パケットを方向付けるユニキャストモード命令を含む請求項２４９記載のシステム。
【請求項２５１】
上記データグラムアドレスは、
上記装置を呼び出して、上記装置が保持する情報により、上記複数の論理リンクを介するように上記パケットを方向付ける多地点通信モード命令を含む請求項２４９記載のシステム。
【請求項２５２】
上記装置が保持する上記情報は、セッション番号と、上記データグラムアドレスの部分的なアドレスサブフィールドにおけるアドレス情報とを含む請求項２５１記載のシステム。
【請求項２５３】
上記パケット交換ネットワークはさらにサービスゲートウェイを備え、上記サービスゲートウェイは、
上記通信セッションの継続時間にわたって上記セッション番号を予約し、かつ、
上記セッション番号が利用不可能であれば、マッピングされたセッション番号を予約する請求項２５２記載のシステム。
【請求項２５４】
通信セッションを処理するための実行可能なプログラム命令を含むコンピュータが読み取り可能な媒体であって、上記実行可能なプログラム命令は、実行されるとき、
上記パケット交換ネットワークに、
マルチメディアデータのパケットのヘッダフィールドにおけるデータグラムアドレスを使用して、上記パケット交換ネットワーク内の複数の論理リンクを介して上記パケットを転送させ、
上記データグラムアドレスは、データリンク層のアドレス及びネットワーク層のアドレスの両方として動作し、
上記データグラムアドレスは、上記複数の論理リンクに沿ったリソースを呼び出して上記パケットを方向付けることができる命令を含むコンピュータが読み取り可能な媒体。
【請求項２５５】
上記パケット交換ネットワークはさらに、上記複数の論理リンクに沿った装置を含む請求項２５４記載のコンピュータが読み取り可能な媒体。
【請求項２５６】
上記データグラムアドレスは、
上記装置を呼び出して、上記データグラムアドレスの部分的なアドレスサブフィールドにおけるアドレス情報により、上記複数の論理リンクを介するように上記パケットを方向付けるユニキャストモード命令を含む請求項２５５記載のコンピュータが読み取り可能な媒体。
【請求項２５７】
上記データグラムアドレスは、
上記装置を呼び出して、上記装置が保持する情報により、上記複数の論理リンクを介するように上記パケットを方向付ける多地点通信モード命令を含む請求項２５５記載のコンピュータが読み取り可能な媒体。
【請求項２５８】
上記装置が保持する上記情報は、セッション番号と、上記データグラムアドレスの部分的なアドレスサブフィールドにおけるアドレス情報とを含む請求項２５７記載のコンピュータが読み取り可能な媒体。
【請求項２５９】
上記実行可能なプログラム命令が実行されるとき、上記パケット交換ネットワークに、
上記通信セッションの継続時間にわたって上記セッション番号を予約させ、かつ、
上記セッション番号が利用不可能であれば、マッピングされたセッション番号を予約させる請求項２５８記載のコンピュータが読み取り可能な媒体。
【請求項２６０】
パケットのためのデータ構造であって、
パケット交換ネットワークにおけるデータリンク層のアドレス及びネットワーク層のアドレスの両方として動作するデータグラムアドレスを含むヘッダフィールドを備え、
上記データグラムアドレスは、上記パケット交換ネットワークにおける複数の論理リンクに沿ったリソースを呼び出して上記パケットを転送させることができる命令を含むデータ構造。
【請求項２６１】
上記パケット交換ネットワークはさらに、上記複数の論理リンクに沿った装置を含む請求項２６０記載のデータ構造。
【請求項２６２】
上記データグラムアドレスは、
上記装置を呼び出して、上記データグラムアドレスの部分的なアドレスサブフィールドにおけるアドレス情報により、上記複数の論理リンクを介するように上記パケットを方向付けるユニキャストモード命令を含む請求項２６１記載のデータ構造。
【請求項２６３】
上記データグラムアドレスは、
上記装置を呼び出して、上記装置が保持する情報により、上記複数の論理リンクを介するように上記パケットを方向付ける多地点通信モード命令を含む請求項２６１記載のデータ構造。
【請求項２６４】
上記装置が保持する上記情報は、セッション番号と、上記データグラムアドレスの部分的なアドレスサブフィールドにおけるアドレス情報とを含む請求項２６３記載のデータ構造。